(57)【要約】    【課題】  人に対する表示効果の高い表示装置を提供する。    【解決手段】  表示内容記録部２には、表示画面８において表示すべき内容が記録されている。アクセス手段４は、表示内容記録部２に記録された記録内容にアクセスして読み出すための手段である。制御手段６は、アクセス手段４を介して、表示内容記録部２から記録内容を読み出し、表示画面８に表示する。センサ１２は、表示画面８の近傍の人の有無を検出するものである。立ち止まり判定手段１０は、センサ１２の出力を受けて、表示画面８の近傍に人が立ち止まったかどうかを判定するものである。制御手段６は、立ち止まり判定手段１０から、立ち止まりの判定を受けると、表示画面８における表示形態を変化させる。【選択図】  図１
2008058982.tif 000002
【特許請求の範囲】
【請求項１】
表示画面と、
表示画面近傍における人の有無を検出するセンサと、
センサの出力に基づいて、表示画面近傍における人の立ち止まりを判定する立ち止まり判定手段と、
表示内容を記録した表示内容記録部にアクセスするためのアクセス手段と、
アクセス手段を介して表示内容記録部に記録された表示内容を読み出して表示画面に表示する制御手段であって、立ち止まり判定手段が人の立ち止まりを判定した際には、表示画面における表示形態を変化させるよう制御する制御手段と、
を備えた表示装置。
【請求項２】
表示画面を有する表示装置のための制御装置であって、
表示画面近傍における人の有無を検出するセンサと、
センサの出力に基づいて、表示画面近傍における人の立ち止まりを判定する立ち止まり判定手段と、
表示画面に表示するための表示内容を記録した表示内容記録部にアクセスするためのアクセス手段と、
アクセス手段と介して表示内容記録部に記録された表示内容を読み出して表示画面に表示する制御手段であって、立ち止まり判定手段が人の立ち止まりを判定した際には、表示画面における表示形態を変化させるよう制御する制御手段と、
を備えた表示装置用制御装置。
【請求項３】
表示画面を有する表示装置をコンピュータによって制御するための制御プログラムであって、
表示画面近傍における人の有無を検出するセンサの出力に基づいて、表示画面近傍における人の立ち止まりを判定する立ち止まり判定手段と、
表示内容記録部に記録された表示内容を読み出して表示画面に表示するとともに、立ち止まり判定手段が人の立ち止まりを判定した際には、表示画面における表示形態を変化させるよう制御する制御手段と、
をコンピュータによって実現するための制御プログラム。
【請求項４】
請求項１〜３のいずれかの装置またはプログラムにおいて、
前記制御手段は、立ち止まり判定手段が人の立ち止まりを判定した際には、表示内容に対して特殊効果を施すことを特徴とするもの。
【請求項５】
請求項１〜３のいずれかの装置またはプログラムにおいて、
前記制御手段は、立ち止まり判定が人の立ち止まりを判定した際には、当該検出時に表示していた表示内容の先頭に戻って表示を行うよう制御すること、
を特徴とするもの。
【請求項６】
請求項１〜３のいずれかの装置またはプログラムにおいて、
前記表示内容記録部は、対応づけられた初期表示内容と詳細表示内容を、複数組記録しており、
前記制御手段は、立ち止まり判定手段が人の立ち止まりを判定していない際には、表示内容記録部に記録された初期表示内容を順次読み出して表示画面に表示し、立ち止まり判定手段が人の立ち止まりを判定した際には、当該判定時に表示画面において表示していた初期表示内容に対応して記録されている詳細表示内容を読み出して表示画面に表示すること、
を特徴とするもの。
【請求項７】
請求項１〜３のいずれかの装置またはプログラムにおいて、
前記制御手段は、立ち止まり判定手段が人の立ち止まりを判定していない際には、表示画面に表示を行わないようにし、立ち止まり判定手段が人の立ち止まりを判定した際には、表示内容記録部に記録されている表示内容を表示画面に表示すること、
を特徴とするもの。
【請求項８】
請求項１〜７のいずれかの装置またはプログラムにおいて、
前記立ち止まり判定手段は、センサが所定時間以上継続して人を検出した際に、立ち止まりであると判定することを特徴とするもの。
【請求項９】
請求項１〜８のいずれかの装置またはプログラムにおいて、
前記センサは、表示画面近傍における人の位置を計測するものであり、
前記立ち止まり判定手段は、計測された人の位置に基づいて、立ち止まりを判定することを特徴とするもの。
【請求項１０】
請求項９の装置またはプログラムにおいて、
前記立ち止まり判定手段は、立ち止まり人数も判定するものであり、立ち止まり人数が所定の人数を超えた場合に、立ち止まりであると判定することを特徴とするもの。
【請求項１１】
請求項１〜１０の装置またはプログラムにおいて、
前記制御手段は、センサが人を検出すると第１の表示形態の変化を行い、立ち止まり判定手段が立ち止まりを判定すると第２の表示形態の変化を行うことを特徴とするもの。
【請求項１２】
表示内容を記録しておき、当該表示内容を読み出して表示画面に表示する表示方法において、
表示画面近傍における人の立ち止まりを判定し、
表示画面近傍における人の立ち止まりを判定した際には、表示画面における表示形態を変化させるよう制御すること、
を特徴とする表示方法。
【請求項１３】
表示画面と、
表示画面近傍における人の有無を検出するセンサと、
センサの出力に基づいて、表示画面近傍における人の立ち止まりを判定する立ち止まり判定手段と、
複数の表示内容を記録した表示内容記録部にアクセスするためのアクセス手段と、
アクセス手段を介して、表示内容記録部に記録された複数の表示内容を、所定のスケジュールにしたがって読み出して表示画面に表示する制御手段と、
立ち止まり判定手段が立ち止まり判定を行うと、当該立ち止まり判定時に表示していた表示内容を特定する識別子をログ記録部に記録するログ記録手段と、
ログ記録部の記録内容に基づいて、各表示内容に対する立ち止まり情報を算出する立ち止まり情報算出手段と、
を備えた表示装置。
【請求項１４】
表示画面を有する表示装置のための制御装置であって、
表示画面近傍における人の有無を検出するセンサと、
センサの出力に基づいて、表示画面近傍における人の立ち止まりを判定する立ち止まり判定手段と、
表示画面に表示するための複数の表示内容を記録した表示内容記録部にアクセスするためのアクセス手段と、
アクセス手段を介して、表示内容記録部に記録された複数の表示内容を、所定のスケジュールにしたがって読み出して表示画面に表示する制御手段と、
立ち止まり判定手段が立ち止まり判定を行うと、当該立ち止まり判定時に表示していた表示内容を特定する識別子をログ記録部に記録するログ記録手段と、
ログ記録部の記録内容に基づいて、各表示内容に対する立ち止まり情報を算出する立ち止まり情報算出手段と、
を備えた表示装置用制御装置。
【請求項１５】
表示画面を有する表示装置をコンピュータによって制御するための制御プログラムであって、
表示画面近傍における人の有無を検出するセンサの出力に基づいて、表示画面近傍における人の立ち止まりを判定する立ち止まり判定手段と、
表示内容記録部に記録された複数の表示内容を、所定のスケジュールにしたがって読み出して表示画面に表示する制御手段と、
立ち止まり判定手段が立ち止まり判定を行うと、当該立ち止まり判定時に表示していた表示内容を特定する識別子をログ記録部に記録するログ記録手段と、
ログ記録部の記録内容に基づいて、各表示内容に対する立ち止まり情報を算出する立ち止まり情報算出手段と、
をコンピュータによって実現するための制御プログラム。
【請求項１６】
請求項１３〜１５のいずれかの装置またはプログラムにおいて、
前記立ち止まり情報は、各表示内容ごとの単位時間あたりの立ち止まり人数であることを特徴とするもの。
【請求項１７】
請求項１３〜１５のいずれかの装置またはプログラムにおいて、
前記立ち止まり情報は、各表示内容ごとの、通過総人数に対する立ち止まり人数の比率であることを特徴とするもの。
【請求項１８】
請求項１３〜１５のいずれかの装置またはプログラムにおいて、
前記立ち止まり情報は、各表示内容ごとの立ち止まり総時間であることを特徴とするもの。
【請求項１９】
請求項１３〜１８のいずれかの装置またはプログラムにおいて、
前記立ち止まり情報は、日、月または曜日ごとに集計されていることを特徴とするもの。
【請求項２０】
請求項１３〜１９のいずれかの装置またはプログラムにおいて、
前記制御手段は、前記立ち止まり情報に基づいて、各表示内容の表示スケジュールを変更することを特徴とするもの。
【請求項２１】
請求項２０の装置またはプログラムにおいて、
前記表示スケジュールの変更は、表示頻度の変更であることを特徴とするもの。
【請求項２２】
請求項１３〜２１のいずれかの装置またはプログラムにおいて、
前記立ち止まり判定手段は、センサが所定時間以上継続して人を検出した際に、立ち止まりであると判定することを特徴とするもの。
【請求項２３】
請求項１３〜２２のいずれかの装置またはプログラムにおいて、
前記センサは、表示画面近傍における人の位置を計測するものであり、
前記立ち止まり判定手段は、計測された人の位置に基づいて、立ち止まりを判定することを特徴とするもの。
【請求項２４】
請求項２３の装置またはプログラムにおいて、
前記立ち止まり判定手段は、立ち止まり人数も判定することを特徴とするもの。
【請求項２５】
複数の表示内容を記録しておき、当該表示内容を読み出して表示画面に表示する表示方法において、
表示画面近傍における人の立ち止まりを判定し、
表示画面近傍における人の立ち止まりを判定した際には、当該立ち止まり判定時に表示していた表示内容を特定する識別子を記録し、
当該記録内容に基づいて、各表示内容に対する立ち止まり情報を算出することを特徴とする表示方法。
【請求項２６】
表示画面と、
表示画面近傍における人の有無を検出するセンサと、
センサの出力に基づいて、表示画面近傍における人の移動方向を判定する移動方向判定手段と、
複数の移動方向に対応して複数の表示内容を記録した表示内容記録部にアクセスするためのアクセス手段と、
アクセス手段を介して、表示内容記録部に記録された表示内容を読み出して表示画面に表示する制御手段であって、移動方向判定手段によって移動方向が判定された際には、表示内容記録部に記録された当該移動方向に対応する表示内容を表示画面に表示する制御手段と、
を備えた表示装置。
【請求項２７】
表示画面を有する表示装置のための制御装置であって、
表示画面近傍における人の有無を検出するセンサの出力に基づいて、表示画面近傍における人の移動方向を判定する移動方向判定手段と、
複数の移動方向に対応して複数の表示内容を記録した表示内容記録部にアクセスするためのアクセス手段と、
アクセス手段を介して、表示内容記録部に記録された表示内容を読み出して表示画面に表示する制御手段であって、移動方向判定手段によって移動方向が判定された際には、表示内容記録部に記録された当該移動方向に対応する表示内容を表示画面に表示する制御手段と、
を備えた表示装置用制御装置。
【請求項２８】
表示画面を有する表示装置をコンピュータによって制御するための制御プログラムであって、
表示画面近傍における人の有無を検出するセンサの出力に基づいて、表示画面近傍における人の移動方向を判定する移動方向判定手段と、
表示内容記録部に記録された表示内容を読み出して表示画面に表示する制御手段であって、移動方向判定手段によって移動方向が判定された際には、表示内容記録部に記録された当該移動方向に対応する表示内容を表示画面に表示する制御手段と、
をコンピュータによって実現するための制御プログラム。
【請求項２９】
請求項２６〜２８のいずれかの装置またはプログラムにおいて、
表示画面近傍に少なくとも２つのスピーカが設けられており、
制御手段は、移動方向判定手段によって移動方向が判定された際には、前記スピーカによって形成される音像が、当該判定した移動方向と同じ方向に移動するように制御することを特徴とするもの。
【請求項３０】
請求項２６〜２９のいずれかの装置またはプログラムにおいて、
前記センサは、表示画面の一端側における人の有無を検出する第１のセンサと、表示画面の他端側における人の有無を検出する第２のセンサとを備えており、
前記移動方向判定手段は、第１のセンサの出力および第２のセンサの出力に基づいて、人の移動方向を判定することを特徴とするもの。
【請求項３１】
請求項２６〜３０のいずれかの装置またはプログラムにおいて、さらに
前記センサの出力に基づいて、表示画面近傍における人の立ち止まりを判定する立ち止まり判定手段を備え、
前記制御手段は、さらに、立ち止まり判定手段が人の立ち止まりを判定した際には、表示画面における表示形態を変化させるよう制御することを特徴とするもの。
【請求項３２】
複数の移動方向に対応して複数の表示内容を記録しておき、
表示画面近傍における人の移動方向を判定し、
判定した人の移動方向に基づいて、記録された当該移動方向に対応する表示内容を表示画面に表示することを特徴とする表示方法。
【請求項３３】
表示画面と、
表示画面近傍における人の有無を検出するセンサと、
センサの出力に基づいて、表示画面近傍における人の立ち止まりを判定する立ち止まり判定手段と、
複数の表示内容を記録した表示内容記録部にアクセスするためのアクセス手段と、
アクセス手段を介して、表示内容記録部に記録された複数の表示内容を、所定のスケジュールにしたがって読み出して表示画面に表示する制御手段と、
立ち止まり判定手段が立ち止まり判定を行ったことをログ記録部に記録するログ記録手段と、
を備えた表示装置を異なる位置に複数個配置し、
各表示装置から受信したログ記録部の記録内容に基づいて、各表示装置の制御手段における各表示内容のスケジュールを変更する上位制御手段と、
を備えた表示システム。
【請求項３４】
複数の表示画面と、
それぞれの表示画面近傍における人の有無を検出するセンサと、
一連の表示内容を記録した表示内容記録部にアクセスするためのアクセス手段と、
アクセス手段を介して表示内容記録部から表示内容を読み出して表示画面に表示する制御手段であって、前記センサの出力に基づいて、人の移動を判断し、当該移動につれて、対応する異なる表示画面に一連の表示内容を表示するよう制御する制御手段と、
を備えた表示装置。
【発明の詳細な説明】
【技術分野】
【０００１】
この発明は表示装置に関し、特に人の立ち止まりや移動などに応じて表示内容を変更することのできる装置に関するものである。
【背景技術】
【０００２】
人の通行を検出し、当該検出があったときに、表示ユニットに広告表示を行うシステムが提案されている（特許文献１）。このシステムでは、人の通行量を取得して、通行量に応じた広告料の請求を行うことができるようにしている。
【０００３】
【特許文献１】特開２００３−３０２９２３
【発明の開示】
【発明が解決しようとする課題】
【０００４】
しかしながら、上記システムでは、人の通行量を検出し、これに対応して表示を行うものであるため、表示内容に対する人の興味の状況や人の移動状況などに応じてその表示内容を変更し、表示効果を高めることはできなかった。
【０００５】
この発明は、上記の問題点を解決して、人に対する表示効果の高い表示装置を提供することを目的とする。
【課題を解決するための手段】
【０００６】
(1)(2)(3)この発明に係る表示装置は、表示画面と、表示画面近傍における人の有無を検出するセンサと、センサの出力に基づいて、表示画面近傍における人の立ち止まりを判定する立ち止まり判定手段と、表示内容を記録した表示内容記録部にアクセスするためのアクセス手段と、アクセス手段を介して表示内容記録部に記録された表示内容を読み出して表示画面に表示する制御部であって、立ち止まり判定手段が人の立ち止まりを判定した際には、表示画面における表示形態を変化させるよう制御する制御手段とを備えている。
【０００７】
立ち止まり判定手段を設け、立ち止まりを判定した際には、表示画面における表示形態を変化させるようにしている。したがって、少なくとも表示内容に興味を持って立ち止まった人に対して、より効果的な表示内容を提供することができる。
【０００８】
(4)この発明に係る表示装置は、立ち止まり判定手段が人の立ち止まりを判定した際には、表示内容に対して特殊効果を施すことを特徴としている。したがって、人の立ち止まり時に、特殊効果によって、より興味を引くことができる。
【０００９】
(5)この発明に係る表示装置は、立ち止まり判定が人の立ち止まりを判定した際には、当該検出時に表示していた表示内容の先頭に戻って表示を行うよう制御することを特徴としている。したがって、立ち止まった人に対して、表示内容の先頭から表示を提供することができる。
【００１０】
(6)この発明に係る表示装置は、表示内容記録部に、対応づけられた初期表示内容と詳細表示内容が、複数組記録されており、立ち止まり判定手段が人の立ち止まりを判定していない際には、表示内容記録部に記録された初期表示内容を順次読み出して表示画面に表示し、立ち止まり判定手段が人の立ち止まりを判定した際には、当該判定時に表示画面において表示していた初期表示内容に対応して記録されている詳細表示内容を読み出して表示画面に表示することを特徴としている。
【００１１】
したがって、人が立ち止まり興味を持ったと思われる表示内容について、詳細な内容を表示して提供することができる。
【００１２】
(7)この発明に係る表示装置は、立ち止まり判定手段が人の立ち止まりを判定していない際には、表示画面に表示を行わないようにし、立ち止まり判定手段が人の立ち止まりを判定した際には、表示内容記録部に記録されている表示内容を表示画面に表示することを特徴としている。
【００１３】
したがって、立ち止まり検出に応じて表示を行うことが可能となり、節電や警告などの目的に合致した装置を提供することができる。
【００１４】
(8)この発明に係る表示装置は、立ち止まり判定手段は、センサが所定時間以上継続して人を検出した際に、立ち止まりであると判定することを特徴としている。したがって、判定時間を変えることにより、立ち止まり検出のしきい値を変えて、適切な検出を行うことができる。
【００１５】
(9)この発明に係る表示装置は、センサが、表示画面近傍における人の位置を計測するものであり、立ち止まり判定手段は、計測された人の位置に基づいて、立ち止まりを判定することを特徴としている。したがって、複数の人のそれぞれについて、立ち止まりを検出することができる。
【００１６】
(10)この発明に係る表示装置は、立ち止まり判定手段が、立ち止まり人数も判定するものであり、立ち止まり人数が所定の人数を超えた場合に、立ち止まりであると判定することを特徴としている。したがって、判定に用いる所定の人数を変えることにより、設置場所や時間などに応じた適切な検出を行うことができる。
【００１７】
(11)この発明に係る表示装置は、制御手段が、センサが人を検出すると第１の表示形態の変化を行い、立ち止まり判定手段が立ち止まりを判定すると第２の表示形態の変化を行うことを特徴としている。
【００１８】
したがって、人の存在、立ち止まりのそれぞれの状況に応じて、適切な表示を行うことができる。
【００１９】
(12)この発明に係る表示方法は、表示内容を記録しておき、当該表示内容を読み出して表示画面に表示する表示方法において、表示画面近傍における人の立ち止まりを判定し、表示画面近傍における人の立ち止まりを判定した際には、表示画面における表示形態を変化させるよう制御することを特徴としている。
【００２０】
立ち止まりを判定した際には、表示画面における表示形態を変化させるようにしている。したがって、少なくとも表示内容に興味を持って立ち止まった人に対して、より効果的な表示内容を提供することができる。
【００２１】
(13)(14)(15)この発明に係る表示装置は、表示画面と、表示画面近傍における人の有無を検出するセンサと、センサの出力に基づいて、表示画面近傍における人の立ち止まりを判定する立ち止まり判定手段と、複数の表示内容を記録した表示内容記録部にアクセスするためのアクセス手段と、アクセス手段を介して、表示内容記録部に記録された複数の表示内容を、所定のスケジュールにしたがって読み出して表示画面に表示する制御手段と、立ち止まり判定手段が立ち止まり判定を行うと、当該立ち止まり判定時に表示していた表示内容を特定する識別子をログ記録部に記録するログ記録手段と、ログ記録部の記録内容に基づいて、各表示内容に対する立ち止まり情報を算出する立ち止まり情報算出手段とを備えている。
【００２２】
したがって、各表示内容に対する立ち止まり情報を得ることができ、この情報に基づいて各表示内容に対する人の興味の度合いを推定することができる。
【００２３】
(16)この発明に係る表示装置は、立ち止まり情報が、各表示内容ごとの単位時間あたりの立ち止まり人数であることを特徴としている。したがって、表示内容の表示時間を考慮に入れた立ち止まりの密度を得ることができる。
【００２４】
(17)この発明に係る表示装置は、立ち止まり情報が、各表示内容ごとの、通過総人数に対する立ち止まり人数の比率であることを特徴としている。したがって、立ち止まる可能性のあった人に対して、実際に立ち止まった人の割合を推定する情報を得ることができる。
【００２５】
(18)この発明に係る表示装置は、立ち止まり情報が、各表示内容ごとの立ち止まり総時間であることを特徴としている。したがって、各表示内容について実質的にどの程度の時間注目して見られたかを推定する情報を得ることができる。
【００２６】
(19)この発明に係る表示装置は、立ち止まり情報が、日、月または曜日ごとに集計されていることを特徴としている。したがって、日、月または曜日ごとの要因にしたがった分析を行うことが可能となる。
【００２７】
(20)この発明に係る表示装置は、立ち止まり情報に基づいて、各表示内容の表示スケジュールを変更することを特徴としている。したがって、各表示内容に対する立ち止まり状況に応じて、適切な表示スケジュールとすることができる。
【００２８】
(21)この発明に係る表示装置は、表示スケジュールの変更は、表示頻度の変更であることを特徴としている。したがって、各表示内容に対する立ち止まり状況に応じて、各表示内容を適切な頻度にて表示することができる。
【００２９】
(22)この発明に係る表示装置は、立ち止まり判定手段が、センサが所定時間以上継続して人を検出した際に、立ち止まりであると判定することを特徴としている。したがって、判定時間を変えることにより、立ち止まり検出のしきい値を変えて、適切な検出を行うことができる。
【００３０】
(23)この発明に係る表示装置は、センサは、表示画面近傍における人の位置を計測するものであり、立ち止まり判定手段は、計測された人の位置に基づいて、立ち止まりを判定することを特徴としている。したがって、複数の人のそれぞれについて、立ち止まりを検出することができる。
【００３１】
(24)この発明に係る表示装置は、立ち止まり判定手段は、立ち止まり人数も判定することを特徴としている。したがって、判定に用いる所定の人数を変えることにより、設置場所や時間などに応じた適切な検出を行うことができる。
【００３２】
(25)この発明に係る表示装置は、複数の表示内容を記録しておき、当該表示内容を読み出して表示画面に表示する表示方法において、表示画面近傍における人の立ち止まりを判定し、表示画面近傍における人の立ち止まりを判定した際には、当該立ち止まり判定時に表示していた表示内容を特定する識別子を記録し、当該記録内容に基づいて、各表示内容に対する立ち止まり情報を算出することを特徴としている。
【００３３】
したがって、各表示内容に対する立ち止まり情報を得ることができ、この情報に基づいて各表示内容に対する人の興味の度合いを推定することができる。
【００３４】
(26)(27)(28)この発明に係る表示装置は、表示画面と、表示画面近傍における人の有無を検出するセンサと、センサの出力に基づいて、表示画面近傍における人の移動方向を判定する移動方向判定手段と、複数の移動方向に対応して複数の表示内容を記録した表示内容記録部にアクセスするためのアクセス手段と、アクセス手段を介して、表示内容記録部に記録された表示内容を読み出して表示画面に表示する制御手段であって、移動方向判定手段によって移動方向が判定された際には、表示内容記録部に記録された当該移動方向に対応する表示内容を表示画面に表示する制御手段とを備えている。
【００３５】
したがって、人の移動方向に対応した内容を表示することができ、表示効果を高めることができる。
【００３６】
(29)この発明に係る表示装置は、表示画面近傍に少なくとも２つのスピーカが設けられており、制御手段は、移動方向判定手段によって移動方向が判定された際には、前記スピーカによって形成される音像が、当該判定した移動方向と同じ方向に移動するように制御することを特徴としている。したがって、人の移動方向と同じ方向に音像が移動し、注目効果を高めることができる。
【００３７】
(30)この発明に係る表示装置は、センサは、表示画面の一端側における人の有無を検出する第１のセンサと、表示画面の他端側における人の有無を検出する第２のセンサとを備えており、移動方向判定手段は、第１のセンサの出力および第２のセンサの出力に基づいて、人の移動方向を判定することを特徴としている。したがって、適切に人の移動方向を判定することができる。
【００３８】
(31)この発明に係る表示装置は、センサの出力に基づいて、表示画面近傍における人の立ち止まりを判定する立ち止まり判定手段を備え、制御手段は、さらに、立ち止まり判定手段が人の立ち止まりを判定した際には、表示画面における表示形態を変化させるよう制御することを特徴としている。
【００３９】
したがって、人の移動方向だけでなく、立ち止まりも考慮した適切な表示を行うことができる。
【００４０】
(32)この発明に係る表示方法は、複数の移動方向に対応して複数の表示内容を記録しておき、表示画面近傍における人の移動方向を判定し、判定した人の移動方向に基づいて、記録された当該移動方向に対応する表示内容を表示画面に表示することを特徴としている。
【００４１】
(33)この発明に係る表示システムは、表示画面と、表示画面近傍における人の有無を検出するセンサと、センサの出力に基づいて、表示画面近傍における人の立ち止まりを判定する立ち止まり判定手段と、複数の表示内容を記録した表示内容記録部にアクセスするためのアクセス手段と、アクセス手段を介して、表示内容記録部に記録された複数の表示内容を、所定のスケジュールにしたがって読み出して表示画面に表示する制御手段と、立ち止まり判定手段が立ち止まり判定を行ったことをログ記録部に記録するログ記録手段とを備えた表示装置を異なる位置に複数個配置し、
各表示装置から受信したログ記録部の記録内容に基づいて、各表示装置の制御手段における各表示内容のスケジュールを変更する上位制御手段を備えている。
【００４２】
したがって、立ち止まり情報に基づいて、各表示装置における各表示内容の表示スケジュールを適切に選択することができる。
【００４３】
(34)この発明に係る表示装置は、複数の表示画面と、それぞれの表示画面近傍における人の有無を検出するセンサと、一連の表示内容を記録した表示内容記録部にアクセスするためのアクセス手段と、アクセス手段を介して表示内容記録部から表示内容を読み出して表示画面に表示する制御手段であって、前記センサの出力に基づいて、人の移動を判断し、当該移動につれて、対応する異なる表示画面に一連の表示内容を表示するよう制御する制御手段とを備えている。
【００４４】
したがって、人の移動につれて、異なる表示画面に、次々と一連の表示内容を表示でき、注目度を高めることができる。
【００４５】
この発明において、「立ち止まり判定手段」とは、表示画面の近傍に人が立ち止まったことを推定する手段であり、実施形態では、図５のステップＳ８などがこれに対応する。
【００４６】
「アクセス手段」とは、少なくとも表示内容記録部から表示内容を取得するための手段をいい、表示内容記録部が記録媒体である場合には入出力制御部がこれに該当し、表示内容記録部がインターネット上のウエブサイトである場合には通信回路がこれに該当する。また、テレビジョン放送を表示内容とする場合には、放送局の送信装置が表示内容記録部であり、受信回路がアクセス手段に該当する。実施形態においては、Ｉ／Ｏコントローラ４やＬＡＮ２８などが、アクセス手段に該当する。
【００４７】
「表示形態の変更」とは、表示を変化させることをいい、表示するコンテンツを変更する場合、表示するコンテンツはそのままで表示位置をずらせたり、ちかちかさせたり、表示色を変えたり、他のコンテンツを重ねて表示したりするような場合を含む概念である。
【００４８】
「プログラム」とは、ＣＰＵにより直接実行可能なプログラムだけでなく、ソース形式のプログラム、圧縮処理がされたプログラム、暗号化されたプログラム等を含む概念である。
【発明を実施するための形態】
【００４９】
１．第１の実施形態
(1)全体構成
図１に、この発明の一実施形態による表示装置１の全体的構成を示す。表示内容記録部２には、表示画面８において表示すべき内容が記録されている。この実施形態では、表示装置１が表示内容記録部２を備えているが、表示内容記録部２は、表示装置１とは別に設けられたものであってもよい。アクセス手段４は、表示内容記録部２に記録された記録内容にアクセスして読み出すための手段である。制御手段６は、アクセス手段４を介して、表示内容記録部２から記録内容を読み出し、表示画面８に表示する。
【００５０】
センサ１２は、表示画面８近傍（特に、表示画面における表示が見える場所が好ましい）における人の有無を検出するものである。立ち止まり判定手段１０は、センサ１２の出力を受けて、表示画面８の近傍に人が立ち止まったかどうかを判定するものである。制御手段６は、立ち止まり判定手段１０から、立ち止まりの判定を受けると、表示画面８における表示形態を変化させる。
【００５１】
(2)ハードウエア構成
図２に、図１の表示装置１を、ＣＰＵを用いて構成した場合のハードウエア構成を示す。ＣＰＵ１４には、ＣＰＵバス３０を介して、Ｉ／Ｏコントローラ４、メモリ／システムバスコントローラ２０、グラフィックコントローラ１８が接続されている。
【００５２】
グラフィックコントローラ１８には、グラフィックメモリ１６、表示画面である表示モニタ８が接続されている。グラフィックコントローラ１８は、ＣＰＵ１４の指示に従って、表示モニタ８への表示を制御する。グラフィックメモリ１６は、グラフィックコントローラ１８によって、ワーク領域として使用される。なお、表示モニタ８の電源は、装置全体の電源とは別に、ＣＰＵ１４によってオン／オフ制御が可能となっている。
【００５３】
メモリ／システムバスコントローラ２０には、メインメモリ２２が接続されている。ＣＰＵ１４は、メモリ／システムバスコントローラ２０を介して、メインメモリ２２をワーク領域として使用する。
【００５４】
Ｉ／Ｏコントローラ４には、システムバス３２を介して、ハードディスク２、センサ１２、スピーカ２４、タイマ２６、ローカルエリアネットワークのための通信回路２８が接続されている。なお、この実施形態では、Ｉ／Ｏコントローラ４が、アクセス手段４を構成している。通信回路２８は、インターネットなどに接続するためのものである。
【００５５】
ハードディスク２には、広告や案内などの表示内容４４が記録されている。また、ハードディスク２には、オペレーティングシステム３８（マイクロソフト社のウインドウズ（商標）など）、制御プログラム４０、制御データ４２が記録されている。ＣＰＵ１４は、制御プログラム４０にしたがって、立ち止まり検出、表示制御などを行う。なお、制御プログラム４０は、オペレーティングシステム３８と協働して、その機能を発揮する。また、制御データ４２は、制御を行う際の条件などを示すデータである。
【００５６】
なお、図示は省略したが、テレビチューナがシステムバス３０に接続されており、表示モニタ８にはテレビ放送も表示することができる。なお、グラフィックコントローラ１８の出力と、テレビチューナの出力とを合成する合成用グラフィックコントローラを設けてもよい。また、ハードディスク２にはブラウザプログラム（図示せず）が記録されており、インターネット上のコンテンツも表示モニタ８に表示することができる。このように、複数種類のコンテンツを同一画面上に表示する装置としては、InfoPlannerProおよびInfoPerformer（いずれも（株）ナナオ製）を用いることができる。
【００５７】
図３に、表示モニタ８を前面から見た図を示す。中央部には、ＬＣＤやプラズマなどの表示素子によって構成される表示部分８ａが配置されている。周辺の非表示部８ｂの左右には、左スピーカ２４Ｌ、右スピーカ２４Ｒが設けられている。非表示部分８ｂの下方に、センサ１２が設けられている。この実施形態では、センサ１２として赤外センサを用いている。
【００５８】
図４は、表示モニタ８の取付状態とセンサ１２の検出範囲を示す平面図である。通路などの壁３４に表示モニタ８が取り付けられている。センサ１２による人の検出範囲は、二点鎖線によって示すエリア３６である。
【００５９】
(3)制御プログラムおよび制御データ
図５、図６に、ハードディスク２に記録された制御プログラム４０のフローチャートを示す。図７に、ハードディスク２に記録された制御データ４２の例を示す。後で述べるように、ＣＰＵ１４は、この制御データ４２に基づいて、表示に関する制御を行う。制御データ４２は、基礎情報４２ａ、イベント情報４２ｂ、特殊イベント情報４２ｃを備えて構成されている。
【００６０】
基礎情報４２ａには、制御データのバージョンやモニタの種類などの基礎的な情報が記述されている。
【００６１】
イベント情報４２ｂには、表示内容４４に関する情報が記述されている。この実施形態では、イベント情報４２ｂとして、複数のイベントに関する情報が記述されている。図においては、「イベント１」（「イベント番号」が「１」として示されるもの）に関する個別イベント情報４２１ｂ、「イベント２」（「イベント番号」が「２」として示されるもの）に関する個別イベント情報４２２ｂが示されている。それぞれの個別イベント情報４２１ｂ、４２２ｂには、立ち止まり判定に基づいて表示形態の変化を行うか否かを示す「センサーイベント」、センサーイベントとして何を表示するかを示す「センサーイベント内容」、開始時分を示す「開始時」「開始分」、終了時分を示す「終了時」「終了分」、通常状態において表示する表示内容を指示する「イベントファイル」などの項目が記述されている。
【００６２】
特殊イベント情報４２ｃには、立ち止まり判定時に表示するための特殊イベントに関する情報が記述されている。図においては、「特殊イベント情報１」に関する個別特殊イベント情報４２１ｃが示されている。個別特殊イベント情報４２１ｃには、前記の個別イベント情報４２１ｂ、４２２ｂと同様の項目が記述されている。
【００６３】
(4)表示制御処理
次に、図５、図６のフローチャートを参照して、ＣＰＵ１４の処理を説明する。まず、ＣＰＵ１４は、ハードディスク２から制御データ４２を読み出す。この制御データ４２の最初の個別イベント情報４２１ｂを対象イベント情報とする。対象イベント情報である個別イベント情報４２１ｂから、「開始時」「開始分」を取得し、表示開始時刻を取得する。ここでは、０６時００分が取得される。次に、ＣＰＵ１４は、内蔵している時計がこの表示開始時刻（０６時００分）になったか否かを判断する（ステップＳ１）。まだであれば待機する。
【００６４】
表示開始時刻になれば、ＣＰＵ１４は、表示モニタ８の電源をオンにする（ステップＳ２）。続いて、ＣＰＵ１４は、個別イベント情報４２１ｂの「イベントファイル」の項目から、イベントのファイル名を取得する。ここでは、「abc」が取得される。ＣＰＵ１４は、このイベントファイル４４（abc）をハードディスク２から読み出して、表示モニタ８に表示する（ステップＳ３）。
【００６５】
次に、ＣＰＵ１４は、センサ１２からの検出出力を受けたかどうか、つまり、図４の範囲３６の中に人が存在するか否かを判断する（ステップＳ４）。人の存在を検出しない場合には、タイマ２６をリセットし（後述）、終了時刻になるまでイベントファイル４４（abc）の表示を繰り返す（ステップＳ６、Ｓ３）。なお、ＣＰＵ１４は、個別イベント情報４２１ｂから「終了時」「終了分」を取得し、表示終了時刻を取得して上記判断を行う。
【００６６】
図８に、イベントファイル４４（abc）によって、表示モニタ８に表示される画面を示す。イベントファイル４４（abc）の内容であるスライドＰ１、スライドＰ２・・・スライドＰ６が繰り返し表示されることになる（表示例(1)〜(7)参照）。ここでは、ホテルの広告が繰り返し表示されている。また、イベントファイル４４にはアナウンスなどの音データも含まれており、ＣＰＵ１４は、スピーカ２４から音データを出力する。
【００６７】
図５のステップＳ４において、センサ１２からの検出出力を受けると、つまり人の存在を検出すると、ＣＰＵ１４はタイマ２６による計時を行う（ステップＳ７）。次に、ＣＰＵ１４は、タイマ２６の計数時間が予め定めた所定時間（たとえば３秒）に達したかどうかを判断する（ステップＳ８）。所定時間に達していなければ、引き続きセンサ１２による検出があるか否かを判断して（ステップＳ４）、あれば計時を続行する（ステップＳ７）。
【００６８】
タイマ２６による計時が所定時間に達するまでに、人が移動して表示画面８から離れると、つまり図４の範囲３６からいなくなると、ＣＰＵ１４は、ステップＳ４を経て、ステップＳ５においてタイマをリセットする。
【００６９】
一方、タイマ２６による計時が所定時間に達すると、ＣＰＵ１４は、立ち止まりであると判定して、表示形態変化の処理を実行する（ステップＳ１０）。なお、この際、ＣＰＵ１４は、次の立ち止まり検出に備えて、タイマ２６をリセットする（ステップＳ９）。
【００７０】
ステップＳ１０の表示形態変化処理において、ＣＰＵ１４は、個別イベント情報４２１ｂの「センサーイベント」の項目内容を取得する。ここでは、「有」が取得されるので、表示形態変更処理を実行する。この項目が「無」である場合には、立ち止まりを検出しても、表示形態変更処理は実行されない。
【００７１】
ＣＰＵ１４は、「センサーイベント内容」の項目を取得する。ここでは、「特殊イベント１」が取得される。これに従い、ＣＰＵ１４は、番号「１」が付された個別特殊イベント情報４２１ｃを取得し、この情報にしたがって特殊イベントを表示モニタ８に表示する。ここでは、特殊イベントファイル４８（xyz）がハードディスク２から読み出されて表示される。
【００７２】
特殊イベントファイル４８（xyz）の表示が終わると、ＣＰＵ１４は繰り返しこれを表示せず、通常の表示に戻る（図５、ステップＳ１１）。つまり、イベントファイル４４（abc）の表示を繰り返す。
【００７３】
図８の表示例(8)〜(10)に、特殊イベントファイル４８（xyz）の内容を示す。立ち止まり検出により、表示例(8)に示すように、特殊イベントファイル４８（xyz）としてホテルについての詳細な案内が開始される。表示例(9)(10)に示すように特殊イベントファイル４８の表示が終了すると、表示例(11)に示すように通常の表示（イベントファイル４４の表示）が行われる。
【００７４】
なお、この実施形態では、ステップＳ１０における特殊イベントファイル４８（xyz）の表示を１回だけにしているが、所定回数繰り返してから終了するようにしてもよい。
【００７５】
上記の処理を繰り返し、対象イベントの表示終了時刻になると、ＣＰＵ１４は、一旦、表示モニタ８の電源をオフにする（ステップＳ１２）。さらに、制御データ４２に記述された次のイベントを対象イベントとして（ステップＳ１３）、ステップＳ１以下を実行する。
【００７６】
次の個別イベント情報４２２ｂには、開始時分が１２時００分と記述されている。したがって、個別イベント情報４２１ｂによるイベントファイル４４（abc）の表示終了後、直ちに、次の表示が開始される。
【００７７】
ここでは、個別イベント情報４２２ｂに基づいて、イベントファイル４６（def）が表示モニタ８に表示される。なお、個別イベント情報４２２ｂの「センサーイベント」の項目は「無」と記述されているので、立ち止まりを判定しても、ＣＰＵ１４は、ステップＳ１０において表示形態の変化を行わない。
【００７８】
ＣＰＵ１４は、イベントファイル４６（def）の表示を、１７時００分に終了する。ＣＰＵ１４は、最後の個別イベント情報まで対象イベント情報としたので、最初の個別イベント情報４２１ｂを対象イベント情報として、ステップＳ１以下を実行する。したがって、１７時にイベントファイル４６（def）の表示が終了してから、次の日の６時００分になるまでは、表示モニタ８の電源はオフにされ、イベントファイルの表示は行われない（図８の表示例(12)参照）。これにより、夜間などの表示が不要な場合における節電を行うことができる。
【００７９】
なお、通常状態における表示物および立ち止まりを検知した場合の表示物としては、上記のようにスライドだけでなく、テレビ画面、文字によるテロップ、インターネットのウエブなどを指定することができる。たとえば、通常状態においてスライドを表示し、立ち止まり検出時にテロップを表示するなど、表示するコンテンツの種類を変えることもできる。さらに、通常状態においては、スライド、テレビ画面、文字によるテロップを同時に表示し、立ち止まり検出時にはスライドのみとするなど、同時に表示するコンテンツの種類を変えることもできる。
【００８０】
(5)その他の例
上記では、立ち止まりを検出した際に、特殊イベントファイルを表示することによって表示形態を変更している。しかし、現在表示中のコンテンツの先頭に戻って表示を行うようにしてもよい。これにより、立ち止まった人に対して、表示内容を最初に戻って提供することができる。
【００８１】
また、立ち止まり検出時に、表示中のコンテンツの表示に特殊効果を施すようにしてもよい。たとえば、一部を拡大して表示する、一部または全体を上下に移動させて表示する、一部または全体をフラッシュ（ちかちか）させて表示するなどの特殊効果を施してもよい。図９に、立ち止まり検出時に拡大表示を行う場合の例を示す。表示例(7)において、立ち止まりを検出すると、ＣＰＵ１４は、表示中のスライドを拡大して表示させている。所定時間経過後、通常の表示に戻している（表示例(8)参照）。これにより、より高い注目を得ることが期待できる。
【００８２】
また、立ち止まり検出時に、特殊コンテンツを表示するようにした上、特殊コンテンツ表示の開始時の所定時間のみ、上記拡大表示などの特殊効果を施すようにしてもよい。
【００８３】
上記各実施形態では、立ち止まりを検出すると、特殊コンテンツの表示終了前に、人が立ち去った場合であっても、特殊コンテンツの表示を続けるようにしている。つまり、一旦、立ち止まりを検出すれば、所定の時間（あるいは所定回数）特殊コンテンツを表示するようにしている。しかし、特殊コンテンツの表示終了前に、人が立ち去った場合には、センサによる人の検出が無くなった時点で特殊コンテンツの表示を中止し、通常の表示に戻るようにしてもよい。
【００８４】
また、上記各実施形態では、人の存在の検出が継続していても、所定時間（または所定回数）経過すると特殊コンテンツの表示を終了するようにしている。しかし、立ち止まりを検出した後、人の存在の検出が継続している間は、特殊コンテンツを表示するようにしてもよい。
【００８５】
上記実施形態では、赤外線センサを人の有無の検出に用いている。しかし、静電容量センサ、光電センサなどを用いてもよい。また、表示モニタ８の前方付近を赤外線カメラや通常のカメラなどで撮像し、人の有無を検出するようにしてもよい。また、これらカメラによる検出によれば、取得した画像に基づいて、人の立ち止まりだけでなく人数も検出可能である。したがって、予め定めた所定人数以上が立ち止まった場合に、表示形態を変更するようにしてもよい。
【００８６】
また、図１０に示すように、表示モニタ８の前面部分の床に、ｎ×ｍのマトリクス状に設けた圧力センサＴ1,1、Ｔ1,2、・・・T1,m、・・・・Tn,1、・・・Tn,mを配置して、立ち止まりおよびその人数を検出するようにしてもよい。各圧力センサは、押圧力が働くと、つまり人がその上に乗ると出力を出すものである。各圧力センサの配置は、Ｙ方向へのピッチＰＹを平均的な足の長さよりも大きく（たとえば４０ｃｍ）、Ｘ方向へのピッチＰＸを平均的な足の幅よりも大きく（たとえば２０ｃｍ）とすることが好ましい。
【００８７】
これにより、片方の足（右足または左足）によるセンサの検出が何れの場所においても行われ、かつ片方の足によるセンサ検出は最大４個となり、ＣＰＵ１４による人の位置の特定が容易となる。
【００８８】
ＣＰＵ１４は、隣接するセンサからの出力は、同一の足からの出力であると判定し、各足について重心の座標を求める。測定のための所定時間ごと（たとえば１秒ごと）にこの処理を行い、前回と同一の重心位置にある足の数を算出する。この数を２で除して、所定時間立ち止まった人の数を推定する。
【００８９】
上記のように、人の位置を検出することにより、立ち止まり位置に応じた表示形態の変更を行うことも可能となる。
【００９０】
上記各実施形態では、立ち止まり判定のための所定時間（立ち止まり判定時間）
を予め定めた固定的な時間としている。しかし、時刻、曜日、平日・祭日の区別などに対して、異なる立ち止まり判定時間を記録しておき、判定時間を変化させるようにしてもよい。
【００９１】
上記各実施形態では、予め定めた所定人数（立ち止まり判定人数）以上が立ち止まった場合に、表示形態を変更するようにしている。しかし、上記と同様、時刻、曜日、平日・祭日の区別などにより、立ち止まり判定人数を変化させるようにしてもよい。
【００９２】
上記実施形態では、１つのイベント（１つのイベント情報にて指定されるイベント）において、１かたまりの通常コンテンツを表示するようにしている。しかし、１つのイベントにおいて、複数のかたまりの通常コンテンツを順次表示するようにしてもよい。たとえば、連続して、複数の店舗の広告を流すようにしてもよい。順次表示される店舗の広告に対応付けて、各店舗の詳細情報を特殊コンテンツとして対応付けてハードディスク２に記録しておく。ＣＰＵ１４は、立ち止まりを検知した際に表示していた店舗について、その詳細情報を表示する。
【００９３】
図１１に、その表示例を示す。ＡＢＣレストラン、ＤＥＦバー、ＨＩＪ書店・・・などが、ハードディスク２に記録されている。制御データ４２には、これらの記録内容を、順次表示する旨（ランダムに表示してもよい）が、イベントとして記述されている。したがって、表示例(1)〜(4)に示すように、ＡＢＣレストラン、ＤＥＦバーの広告が順次表示されていく。表示例(4)を表示している際に立ち止まりを検出すると、ＣＰＵ１４は、その表示内容（つまりＤＥＦバーの広告）に対応する詳細情報を特殊コンテンツとして表示する。したがって、表示例(5)〜(7)に示すように、ＤＥＦバーに関する詳細な情報が表示される。
【００９４】
特殊コンテンツの表示が終了すると、通常の表示に戻り、ＨＩＪ書店・・・の広告が表示される（表示例(8)）。
【００９５】
上記のようにすれば、人が興味を持って立ち止まった情報に対して、さらに詳細な情報（あるいは関連する情報）を提供することができ、情報伝達効率の良い装置の構築が期待できる。
【００９６】
また、各上記実施形態では、立ち止まりを判定したときに、表示形態を変化させるようにしている。しかし、センサ１２が人を検出した際に、表示形態を変化させ（第１の表示形態の変化）、さらに、立ち止まりを判定した際に、さらなる表示形態の変化を行うようにしてもよい（第２の表示形態の変化）。
【００９７】
図１２に、その一例を示す。ＣＰＵ１４は、人の検出により、通常表示しているコンテンツに重ねて「ご案内」の文字を上下に移動して表示する（表示例(7)(8)）。さらに、立ち止まり判定により、特殊コンテンツ（店舗の広告など）を表示する（表示例(9)）。これにより、近づいた人に対して注目を与えうる表示を行い、その結果、立ち止まったと判定した場合には、詳細な情報を表示するようにして、効率的な表示を行うことができる。なお、人の立ち止まりを検出しなかった場合には、表示例(7)、(8)、(11)の順で表示が行われ、表示例(9)(10)は表示されない。
【００９８】
ここに示した変形例は、以下に示す他の実施形態にも適用することができる。
【００９９】
２．第２の実施形態
(1)基本的構成と処理
上記の実施形態では、表示すべきコンテンツがない場合には、表示モニタ８の電源をオフにして待機するだけであった（図５のステップＳ１の「ＮＯ」のループ参照）。第２の実施形態では、この待機期間においても、人の立ち止まりを検知して、立ち止まりがあった場合には、「警告」などの表示を行うようにしている。公共施設や商店の内部など、営業時間以外（たとえば真夜中など）に人が近寄って立ち止まった場合に、警告を発することができる。
【０１００】
なお、第２の実施形態におけるハードウエア構成やプログラムなどは、第１の実施形態と同様である。ただし、図１３に示す待機中の処理が追加されている。待機中において、センサ１２からの検出出力を受けると、つまり人の存在を検出すると、ＣＰＵ１４はタイマ２６による計時を行う（ステップＳ２１、Ｓ２３）。次に、ＣＰＵ１４は、タイマ２６の計数時間が予め定めた所定時間（たとえば３秒）に達したかどうかを判断する（ステップＳ２４）。所定時間に達していなければ、引き続きセンサ１２による検出があるか否かを判断して（ステップＳ２１）、あれば計時を続行する（ステップ２３）。
【０１０１】
タイマ２６による計時が所定時間に達するまでに、人が移動して表示画面８から離れると、ＣＰＵ１４は、ステップＳ２１を経て、ステップＳ２２においてタイマをリセットする。
【０１０２】
一方、タイマ２６による計時が所定時間に達すると、ＣＰＵ１４は、立ち止まりであると判定して、警告処理を実行する（ステップＳ２６）。たとえば、ＣＰＵ１４は、ハードディスク２に記録されている警告画面を表示モニタ８に表示するとともに、警告音声（たとえば、「直ちに立ち去って下さい。あと５秒経過しても立ち去らない場合には、警備会社に連絡します。」など）をスピーカ２４から出力する。
【０１０３】
なお、この際、ＣＰＵ１４は、次の立ち止まり検出に備えて、タイマ２６をリセットする（ステップＳ２５）。この警告は、人が立ち去るまで続けられる（ステップＳ２７）。また、立ち止まり状態がさらに所定時間続いた場合には、ＣＰＵ１４は、通信回路２８を介して、予め登録されている連絡先（警備会社など）に、非常連絡を行う。
【０１０４】
人の検出が無くなると、表示モニタ８の電源をオフにし（ステップＳ２８）、待機状態に入る。
【０１０５】
以上のように、通常運転時は注目を得るための表示形態の変更に用い、待機時（夜間など）はセキュリティのために用いることが可能である。
【０１０６】
(2)その他の例
また、待機中に人の立ち止まりを検出して表示を行うという技術を用いれば、次のような表示装置も構築できる。
【０１０７】
常に待機中としておき、人の立ち止まりを検出した際には、広告などのコンテンツを表示する。これにより、不要な電力消費を抑えることができる。また、人の立ち止まりによりコンテンツを表示して、さらに人の立ち止まりが所定時間継続すれば、表示形態の変更を行うようにしてもよい。
【０１０８】
また、常に待機中としておき、立ち止まりを検出したのが営業時間中であれば、通常のコンテンツ表示を行い、立ち止まりを検出したのが営業時間外であれば、警告のコンテンツを表示するようにしてもよい。
【０１０９】
ここに示した変形例は、上述の実施形態や後述の実施形態にも適用できるものである。
【０１１０】
３．第３の実施形態
(1)全体的構成
図１４に、この発明の第３の実施形態による表示装置１の全体構成を示す。この実施形態による表示装置１は、第１の実施形態の表示装置の構成に加えて、移動方向判定手段１１、ログ記録手段１３、ログ記録部１５を備えている。
【０１１１】
移動方向判定手段１１は、センサ１２の出力に基づいて、人の移動方向を判定する。制御手段６は、移動方向判定手段１１、立ち止まり判定手段１０からの出力を受けて、表示画面８における表示形態を変更する。
【０１１２】
また、ログ記録手段１３は、移動方向判定手段１１、立ち止まり判定手段１０からの出力を受けて、判定があった旨などをログとしてログ記録部１５に記録する。
【０１１３】
(2)ハードウエア構成
この実施形態による表示装置１のハードウエア構成は、図２に示すものと同様である。ただし、図１５に示すように、表示モニタ８の両端近傍に、２つのセンサ１２L、１２Rが設けられている。左センサ１２Lは、表示モニタ８に向かって左側の領域３６Lにおける人の有無を検出し、右センサ１２Ｒは、表示モニタ８に向かって右側の領域３６Ｒにおける人の有無を検出する。また、ハードディスク２にログを記録するためのログファイル（ログ記録部１５）が設けられている。また、移動方向の判定に関連する処理、ログファイルへの記録に関する処理などが、制御プログラムに追加されている。
【０１１４】
さらに、図１６に示すように、制御データ４２の個別イベント情報４２１ｂにおいて、左方向からの人の移動を検知した場合のイベントを示す「ＬＲイベント内容」、右方向からの人の移動を検知した場合のイベント示す「ＲＬイベント内容」が記述されている。これにより、それぞれの検知時に行われるイベントが明らかにされている。ここでは、番号１にて示されるＬＲイベント、番号１にて示されるＲＬイベントを表示する旨が記述されている。
【０１１５】
これに対応して、個別ＬＲイベント情報４２１ｄ、個別ＲＬイベント情報４２１ｅが記述され、ＬＲイベント、ＲＬイベントとしてどのファイルを表示するかが明らかにされている。ここでは、ＬＲイベントとして「QRS」、ＲＬイベントとして「NOP」を用いる旨が記述されている。さらに、個別ＬＲイベント情報４２１ｄ、個別ＲＬイベント情報４２１ｅには、立ち止まりを検出した場合に行うイベントの内容が記述されている。ＬＲイベントにおいては、特殊イベント１（番号１にて示される特殊イベント）、ＲＬイベントにおいては、特殊イベント２（番号２にて示される特殊イベント）が示されている。
【０１１６】
(3)表示制御処理
図１７〜図２０に、ハードディスク２に記録された制御プログラム４０のフローチャートを示す。まず、ＣＰＵ１４は、ハードディスク２から制御データ４２を読み出す。この制御データ４２の最初の個別イベント情報４２１ｂを対象イベント情報とする。対象イベント情報である個別イベント情報４２１ｂから、「開始時」「開始分」を取得し、表示開始時刻を取得する。ここでは、０６時００分が取得される。次に、ＣＰＵ１４は、内蔵している時計がこの表示開始時刻（０６時００分）になったか否かを判断する（ステップＳ３１）。まだであれば待機する。
【０１１７】
表示開始時刻になれば、ＣＰＵ１４は、表示モニタ８の電源をオンにする（ステップＳ３２）。続いて、ＣＰＵ１４は、個別イベント情報４２１ｂの「イベントファイル」の項目を参照し、イベントファイル４４（abc）をハードディスク２から読み出して、表示モニタ８に表示する（ステップＳ３３）。
【０１１８】
次に、ＣＰＵ１４は、方向検出のために用いるＬフラグ、Ｒフラグ、ＬＲフラグ（メモリ２２に設定する）をリセット（＝「０」）する。Ｌフラグ、Ｒフラグは、それぞれ、左センサ１２Ｌ、右センサ１２Ｒによる検出が行われると、セット（＝「１」）される。また、一旦セットされると、当該センサによる検出がなくなっても、他のセンサによる検出がある間はリセットされない。ＬＲフラグは、左センサ１２Ｌがセットされた後に、右センサ１２Ｒがセットされた場合にのみセットされる。このＬＲフラグも、一旦セットされると、全てのセンサによる検出がなくなるまでリセットされない。
【０１１９】
続いて、ＣＰＵ１４は、左センサ１２Ｌ、右センサ１２Ｒからの出力があるかどうかを判断する（ステップＳ３５、Ｓ３６）。これらセンサからの出力がない場合、ＬフラグまたはＲフラグがセットされているか否かを判断する（ステップＳ３７）。両センサ１２Ｌ、１２Ｒからの出力が無く、Ｌフラグ、Ｒフラグの双方がセットされていない場合には、対象イベントの表示終了時刻かどうかを判断する（図１８のステップＳ３８）。表示終了時刻でなければ、図１７のステップＳ３３以下を再び実行し、イベントファイル４４（abc）の表示を繰り返す。これにより、図２１の表示例(2)〜(5)に示すような表示が行われる。あわせて、スピーカ２４から音が出力される。
【０１２０】
左方向から人が来て、左センサ１２Ｌが人を検出すると、図１７のステップＳ３５から図１９のステップＳ４１に進む。ステップＳ４１において、ＣＰＵ１４は、Ｌフラグをセットする。続いて、タイマ２６による計時を行う（ステップＳ４２）。その後、右センサ１２Ｒによる検出があるかどうかを判断する。検出があれば、ステップＳ４４に進む。ここでは、人が左から来たばかりであるから、右センサ１２Ｒによる検出はなく、ステップＳ４８に進む。
【０１２１】
ステップＳ４８において、ＣＰＵ１４は、各フラグの値に基づき、左または右のいずれの方向から人が来たのかを判断する。ここでは、Ｌフラグだけがセットされているので、左方向から来たと判断し、ステップＳ４９に進む。
【０１２２】
ＣＰＵ１４は、ステップＳ４９において、個別コンテンツ情報４２１ｂ（図１６）を参照して、左方向のためのコンテンツ（ＬＲコンテンツ）が、ＬＲイベントファイルQRSであることを知る。そして、ＬＲイベントファイルQRSをハードディスク２から読み出して、表示モニタ８に表示する。このようにして、人の検出とともに、図２１の表示例(6)に示すように左方向のためのコンテンツが表示される。この例では、右方向にあるレストランの広告を表示するようにしている。なお、図では、静止画を表示しているが、動画や複数のスライドであってもよい。
【０１２３】
なお、右方向から人が来て、右センサ１２Ｒが人を検出した場合には、ＲＬイベントファイルNOP（左方向にあるレストランなどの広告）が、同じようにして表示される。
【０１２４】
ＣＰＵ１４は、立ち止まりを判定するため、タイマ２６が所定の時間を計時したかどうかを判断する（ステップＳ５１）。所定時間に達していなければ、図１７のステップＳ３５以下を実行する。人が、右方向に移動し、右センサ１２Ｒの検出領域３６Ｒ（図１５参照）に入ると、右センサ１２Ｒの検出出力が出る。したがって、ＣＰＵ１４は、図１８のステップＳ４３からステップＳ４６に分岐し、ＬＲフラグをセットする。続いて、Ｒフラグをセットし、タイマによる計時を継続する（ステップＳ４５）。
【０１２５】
上記によりＬフラグ、Ｒフラグの双方がセットされるが、ＬＲフラグがセットされていることにより、左方向から人が来たということを判定することができる。したがって、ステップＳ４８において、ステップＳ４９に分岐し、ＬＲコンテンツの表示が継続される。このようにして、図２１の表示例(6)(7)(8)に示す表示が行われる。
【０１２６】
人が、そのまま右方向に移動し、タイマによる計時が所定時間に達するまでに、左センサ１２Ｌおよび右センサ１２Ｒの検出領域から外れると、以下のようにして、ＣＰＵ１４は通過に対する処理を行う。いずれのセンサ１２Ｌ、１２Ｒの出力もないことから、ＣＰＵ１４は、図１７のステップＳ３５、Ｓ３６を経て、ステップＳ３７に進む。ステップＳ３７では、Ｌフラグ、ＲフラグがセットされていることからステップＳ３８に進み、ハードディスク２のログへの記録を行う。
【０１２７】
ログへは、図２３に示すように、各表示内容に対応付けて、記録時刻、方向（左から右、右から左、左から左、右から右）、立ち止まりの有無などが記録される。上記の場合であれば、フラグＬＲがセットされているので、左から来て右方向へ通過したので、「通過左右」の箇所に時刻が記録されることになる。
【０１２８】
なお、各フラグの状態に基づいて、右から来て左へ通過したと判断した場合には「通過右左」の箇所に、左から来て左へ引き返したと判断した場合には「通過左左」の箇所に、右から来て右へ引き返したと判断した場合には「通過右右」の箇所にそれぞれ時刻が記入される。
【０１２９】
その後、ＣＰＵ１４は、ステップＳ３３に戻って、通常のコンテンツの表示を行うとともに、全てのフラグをリセットする（ステップＳ３４）。したがって、図２１の表示例(8)以下に示すような表示が行われる。
【０１３０】
上記においては、タイマの計時が所定時間に達するまでに人の検出がなくなった場合を例として示した。しかし、人が立ち止まるなどして、タイマ２６の計時が所定時間に達すると、ＣＰＵ１４は、以下のようにして、第１の実施形態と同じように特殊コンテンツを表示する。
【０１３１】
タイマ２６の計時が所定時間を経過すると、立ち止まりであると判定し、ＣＰＵ１４は、図１９のステップＳ５１から、図２０のステップＳ５２に分岐する。ステップＳ５２においては、ログへの書き込みを行う。立ち止まりを検出しているので、「立ち止まり」の箇所に記録時刻を記録する。また、通過方向を「右左」「左右」「右右」「左左」として併せて記録する。
【０１３２】
ＣＰＵ１４は、続いて、表示形態の変化を行う（ステップＳ１３）。この表示形態変化の処理は、第１の実施形態において説明した処理を適用することができる。ここでは、立ち止まり判定時に表示していた表示内容についての詳細な表示内容を表示するようにしている。ＣＰＵ１４は、ＬＲイベントの個別特殊イベント情報４２１ｄ（図１６）に記述された特殊イベントファイルxyzを表示することによりこれを実現している。立ち止まりを検知した場合の表示例を図２２に示す。表示例(6)に示すように、左センサ１２Ｌによる人の検出によって店舗の広告が表示され、さらに、表示例(8)に示すように、立ち止まり検知によって店舗の詳細が表示される。
【０１３３】
したがって、この実施形態では、人を検出するとその移動方向に対応した表示内容を提示し、さらに立ち止まりを判定した場合には、その表示形態を変更して、効果的な表示を行うことが期待できる。また、人の検出およびその移動方向、立ち止まりをログとして記録するので、表示装置による表示効果の判定、各表示内容ごとの表示効果の判定に用いることができる。
【０１３４】
(4)その他の例
上記実施形態では、人の検出によって、その移動方向に対応したコンテンツを表示し、さらに立ち止まり判定に応じて、詳細コンテンツを表示するようにしている。しかし、移動方向にかかわらず、人の検出によって通常表示とは異なるコンテンツを表示し、立ち止まり判定に応じて、詳細コンテンツを表示するようにしてもよい。
【０１３５】
また、上記実施形態では、２つのセンサを設けることによって、人の移動方向を判定している。しかし、図１０に示すような位置を検出するセンサを用いて、位置の変化に基づいて移動方向を判定してもよい。また、位置を検出するセンサや表示モニタ８との距離を計測するセンサを用いれば、人が近づいたか遠ざかったかという移動方向も検出でき、これに応じた内容を表示することができる。
【０１３６】
また、人の移動方向を検出すると、スピーカ２４Ｌ、２４Ｒによって形成する音像の定位位置を、当該移動方向と同じ方向に移動させてもよい。これにより、音が人を追いかける効果を実現することができ、効果的な広告などを実現できる。なお、２つのスピーカ２４L、２４Ｒだけであっても、音像の仮想定位処理を行うことにより、任意の位置に仮想音源を定位させることができる。
【０１３７】
なお、上記実施形態では、ログを記録しているだけであるが、ＣＰＵ１４がログの解析を行い、各イベントのスケジュールを自動的に変更するようにしてもよい。たとえば、ＣＰＵ１４は、記録されたログの内容に基づいて、各イベントごとの立ち止まり人数に基づいて、全イベントの総立ち止まり人数に対する比率を算出して、当該比率に基づいて、各イベントの表示開始時刻、終了時刻を変更する。あるいは、各イベントの１日における表示回数（表示頻度）を変更するようにしてもよい。
【０１３８】
この際、ＣＰＵ１４は、比率の高いものほど、表示時間を長くして（表示回数を多くして）効率的な表示を行うようにできる。逆に、比率の低いものほど、表示時間を長くして（表示回数を多くして）、各イベント間の立ち止まり人数を等しくするように、制御することもできる。
【０１３９】
また、曜日、時間帯ごとの各イベントや表示内容に対する立ち止まり、通過方向などに基づいて、表示スケジュールを変更するようにしてもよい。
【０１４０】
また、イベント単位ではなく、イベントに含まれる表示内容（同じ会社の複数の製品、いわゆるシネコンプレックスと呼ばれる複数の劇場を有する映画館における複数の上映映画の案内など）ごとに、立ち止まりの記録を行って解析することにより、ＣＰＵ１４は、各表示内容に対する注目度（各製品の売れ行き予測、各映画の入場者推定など）を算出できる。
【０１４１】
なお、上記では、ログを記録しこれに基づいて制御を行うようにしているが、ＣＰＵ１４は、リアルタイムに表示スケジュールの制御を行うようにしてもよい。たとえば、複数のイベント（複数の表示内容）を１日に何回も繰り返して表示するように表示スケジュールを設定しておく。そして、たとえば１時間ごとに表示スケジュールの見直しを行う。ＣＰＵ１４は、各イベント（各表示内容）の立ち止まり人数が同じになるように、判定結果をふまえて、各イベントごとに表示回数を変化させる。
【０１４２】
ここに示した変形例は、上述の実施形態や後述の実施形態にも適用できるものである。
【０１４３】
４．第４の実施形態
図２４に、集中制御装置７０を用いて複数の表示装置Ｄ1、Ｄ2、・・・Ｄnの表示スケジュールを管理する表示システムを示す。この実施形態における表示装置Ｄ1、Ｄ2、・・・Ｄnは、上記の各実施形態のいずれかを用いることができる。表示装置Ｄ1、Ｄ2、・・・Ｄnは、異なる場所に表示されている。
【０１４４】
表示装置Ｄ1、Ｄ2、・・・Ｄnは、ログの内容を通信回線等を通じて、集中制御装置７０に送信する。集中制御装置７０は、コンピュータによって構成されている。集中制御装置７０（上位制御手段）は、各表示装置Ｄ1、Ｄ2、・・・Ｄnから受信したログ内容を解析する。さらに集中制御装置７０は、各装置ごとの立ち止まり率、立ち止まり時間や、各表示内容ごとの立ち止まり率、立ち止まり時間などに基づいて、各表示装置Ｄ1、Ｄ2、・・・Ｄnにおける表示スケジュールを変更する。
【０１４５】
たとえば、各表示装置Ｄ1、Ｄ2、・・・Ｄnにつき、同一のスケジュールにて、同一の表示内容を表示する。集中制御装置７０は、表示装置Ｄ1について、各表示内容ごとの立ち止まり率（表示装置Ｄ１における全立ち止まり回数に占める各表示内容の立ち止まり回数が占める割合）を算出する。この立ち止まり率を、他の表示装置Ｄ2、・・・Ｄnについても算出する。これにより、同一時間帯における同一の表示内容について、各表示装置ごとの立ち止まり率を得ることができる。
【０１４６】
集中制御装置７０は、同一時間帯において同一の表示内容に対する立ち止まり率の高い表示装置について、その表示内容の表示回数（または表示時間を長く）を多くする。逆に、同一時間帯において同一の表示内容に対する立ち止まり率の低い表示装置について、その表示内容の表示回数（または表示時間を短く）を少なくする。集中制御装置７０は、通信回線などを通じて、上記の表示スケジュールの変更指令を、各表示装置Ｄ1、Ｄ2、・・・Ｄnに与える。これにより、表示された場所の特性に応じて、効率のよい表示スケジュールを自動的に設定することができる。
【０１４７】
なお、集中表示装置７０は、いずれかの表示装置Ｄ1、Ｄ2、・・・Ｄnがこれを兼ねるようにしてもよい。
【０１４８】
また、表示モニタ８を複数個設け、１つのコンピュータにて制御する場合においても、上記と同様の制御を行うことができる。
【０１４９】
５．その他の実施形態
図２の実施形態に示す表示装置において、表示モニタ８を複数個接続する。この複数の表示モニタ８を、通路などの進行方向に沿って配置する。ＣＰＵ１４は、各表示モニタ８のセンサ１２からの検出信号を順次受けて、センサ１２による人の検出のある表示モニタ８に、連続する一連のコンテンツを順次表示する。つまり、人の移動に応じて、連続したコンテンツを異なる表示モニタ８に表示していく。
【０１５０】
このようにすれば、通路などにおいて移動する人に対しても、一連のコンテンツを提供することができる。
【図面の簡単な説明】
【０１５１】
【図１】第１の実施形態による表示装置の全体構成図である。
【図２】表示装置のハードウエア構成を示す図である。
【図３】表示モニタ８の外観を示す図である。
【図４】センサ１２の検出範囲を示す図である。
【図５】制御プログラムのフローチャートである。
【図６】制御プログラムのフローチャートである。
【図７】制御データの例である。
【図８】表示例を示す図である。
【図９】表示例を示す図である。
【図１０】タッチセンサを用いた場合を示す図である。
【図１１】表示例を示す図である。
【図１２】表示例を示す図である。
【図１３】制御プログラムのフローチャートである。
【図１４】第３の実施形態による表示装置の全体構成を示す図である。
【図１５】センサ１２Ｌ、１２Ｒの検出範囲を示す図である。
【図１６】制御データの例を示す図である。
【図１７】制御プログラムのフローチャートである。
【図１８】制御プログラムのフローチャートである。
【図１９】制御プログラムのフローチャートである。
【図２０】制御プログラムのフローチャートである。
【図２１】表示例を示す図である。
【図２２】表示例を示す図である。
【図２３】ログの例を示す図である。
【図２４】第４の実施形態を示す図である。
【符号の説明】
【０１５２】
２・・・表示内容記録部
４・・・アクセス手段
６・・・制御手段
８・・・表示画面
１０・・・立ち止まり判定手段
１２・・・センサ
【図１】
2008058982.tif 000003
【図２】
2008058982.tif 000004
【図３】
2008058982.tif 000005
【図４】
2008058982.tif 000006
【図５】
2008058982.tif 000007
【図６】
2008058982.tif 000008
【図７】
2008058982.tif 000009
【図１０】
2008058982.tif 000010
【図１１】
2008058982.tif 000011
【図１３】
2008058982.tif 000012
【図１４】
2008058982.tif 000013
【図１５】
2008058982.tif 000014
【図１６】
2008058982.tif 000015
【図１７】
2008058982.tif 000016
【図１８】
2008058982.tif 000017
【図１９】
2008058982.tif 000018
【図２０】
2008058982.tif 000019
【図２３】
2008058982.tif 000020
【図２４】
2008058982.tif 000021
【図８】
2008058982.tif 000022
【図９】
2008058982.tif 000023
【図１２】
2008058982.tif 000024
【図２１】
2008058982.tif 000025
【図２２】
2008058982.tif 000026
【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
表示画面と、
表示画面近傍における人の有無を検出するセンサと、
センサの出力に基づいて、表示画面近傍における人の移動方向を判定する移動方向判定手段と、
複数の移動方向に対応して複数の表示内容を記録した表示内容記録部にアクセスするためのアクセス手段と、
アクセス手段を介して、表示内容記録部に記録された表示内容を読み出して表示画面に表示する制御手段であって、移動方向判定手段によって移動方向が判定された際には、表示内容記録部に記録された当該移動方向に対応する表示内容を表示画面に表示する制御手段と、
を備えた表示装置。
【請求項２】
表示画面を有する表示装置のための制御装置であって、
表示画面近傍における人の有無を検出するセンサの出力に基づいて、表示画面近傍における人の移動方向を判定する移動方向判定手段と、
複数の移動方向に対応して複数の表示内容を記録した表示内容記録部にアクセスするためのアクセス手段と、
アクセス手段を介して、表示内容記録部に記録された表示内容を読み出して表示画面に表示する制御手段であって、移動方向判定手段によって移動方向が判定された際には、表示内容記録部に記録された当該移動方向に対応する表示内容を表示画面に表示する制御手段と、
を備えた表示装置用制御装置。
【請求項３】
表示画面を有する表示装置をコンピュータによって制御するための制御プログラムであって、
表示画面近傍における人の有無を検出するセンサの出力に基づいて、表示画面近傍における人の移動方向を判定する移動方向判定手段と、
表示内容記録部に記録された表示内容を読み出して表示画面に表示する制御手段であって、移動方向判定手段によって移動方向が判定された際には、表示内容記録部に記録された当該移動方向に対応する表示内容を表示画面に表示する制御手段と、
をコンピュータによって実現するための制御プログラム。
【請求項４】
請求項１の装置おいて、
表示画面近傍に少なくとも２つのスピーカが設けられており、
制御手段は、移動方向判定手段によって移動方向が判定された際には、前記スピーカによって形成される音像が、当該判定した移動方向と同じ方向に移動するように制御することを特徴とするもの。
【請求項５】
請求項１または４の装置において、
前記センサは、表示画面の一端側における人の有無を検出する第１のセンサと、表示画面の他端側における人の有無を検出する第２のセンサとを備えており、
前記移動方向判定手段は、第１のセンサの出力および第２のセンサの出力に基づいて、人の移動方向を判定することを特徴とするもの。
【請求項６】
請求項１、４、５のいずれかの装置において、さらに
前記センサの出力に基づいて、表示画面近傍における人の立ち止まりを判定する立ち止まり判定手段を備え、
前記制御手段は、さらに、立ち止まり判定手段が人の立ち止まりを判定した際には、表示画面における表示形態を変化させるよう制御することを特徴とするもの。
【請求項７】
複数の移動方向に対応して複数の表示内容を記録しておき、
表示画面近傍における人の移動方向を判定し、
判定した人の移動方向に基づいて、記録された当該移動方向に対応する表示内容を表示画面に表示することを特徴とする表示方法。
【請求項８】
複数の表示画面と、
それぞれの表示画面近傍における人の有無を検出するセンサと、
一連の表示内容を記録した表示内容記録部にアクセスするためのアクセス手段と、
アクセス手段を介して表示内容記録部から表示内容を読み出して表示画面に表示する制御手段であって、前記センサの出力に基づいて、人の移動を判断し、当該移動につれて、対応する異なる表示画面に一連の表示内容を表示するよう制御する制御手段と、
を備えた表示装置。